(57)【特許請求の範囲】
【請求項１】
地下に埋設された貯留浸透槽に雨水等を貯留するとともに、該貯留浸透槽を介して雨水等を土中に浸透させる雨水貯留浸透施設において、
前記貯留浸透槽が、浸透機能を備えた浸透部と、この浸透部を形成する材質とは異なる材質で形成されて貯留機能を備えた貯留部とから構成され、
前記浸透部が樹脂製部材で形成される一方、前記貯留部が、浸透部よりも水平荷重に対して強度が強いコンクリート製部材で形成され、前記貯留部の上面に浸透部が配置されており、
前記浸透部の底面の少なくとも一部が接地されていることを特徴とする雨水貯留浸透施設。
【請求項２】
請求項１に記載の雨水貯留浸透施設において、
前記浸透部に、この浸透部に導かれた雨水中に含まれる夾雑物を集める夾雑物収集手段が設けられたことを特徴とする雨水貯留浸透施設。
【発明の詳細な説明】
【技術分野】
【０００１】
本発明は、地下に埋設された貯留浸透槽に雨水等を貯留するとともに、該貯留浸透槽を介して雨水等を土中に浸透させる雨水貯留浸透施設に関する。
【背景技術】
【０００２】
貯留浸透槽がコンクリート製部材で形成された従来の雨水貯留浸透施設では、浸透機能を備えるために、貯留浸透槽に穴を穿孔したり、多孔質のコンクリート部材を用いて貯留浸透槽を構成していた。このため、加工の手間がかかったり貯留浸透槽の製作に時間がかかるので、雨水貯留浸透施設の施工に長期間の工期を要し、コストが増大するといった問題が生じていた。
【０００３】
また、例えば特許文献１には、貯留浸透槽の下部を貯留部として構成し、上部を浸透部として構成した雨水貯留浸透施設が記載されている。
【特許文献１】特開平９−４１４７０号公報
【発明の開示】
【発明が解決しようとする課題】
【０００４】
しかしながら、上記特許文献１に記載された雨水貯留浸透施設では、貯留浸透槽の全体が単一の骨格部材で構成されており、貯留浸透槽が受ける側土圧（水平荷重）をこの単一の骨格部材によって支持しなければならない。ところが、側土圧が埋設深さが深くなるに伴って増大するにもかかわらず、このような単一の骨格部材で一律に支持したのでは、深埋設に対応することが困難である。
【０００５】
また、貯留浸透槽を、その構成する材質を変えることなく貯留部と浸透部に分けているので、このために地面を階段状に掘削していることから、掘削や加工の手間がかかり、施工が煩雑で長期間にわたる工期を要し、コストも増大するといった問題があった。
【０００６】
本発明は、このような事情に鑑み創案されたもので、貯留浸透槽の深埋設が可能で、優れた浸透機能を備えるとともに、施工が簡単な雨水貯留浸透施設を提供することを目的とする。
【課題を解決するための手段】
【０００７】
上記の目的を達成するため本発明は、地下に埋設された貯留浸透槽に雨水等を貯留するとともに、該貯留浸透槽を介して雨水等を土中に浸透させる雨水貯留浸透施設において、前記貯留浸透槽が、浸透機能を備えた浸透部と、この浸透部を形成する材質とは異なる材質で形成されて貯留機能を備えた貯留部とから構成され、前記浸透部が樹脂製部材で形成される一方、前記貯留部が、浸透部よりも水平荷重に対して強度が強いコンクリート製部材で形成され、前記貯留部の上面に浸透部が配置されており、前記浸透部の底面の少なくとも一部が接地されていることを特徴とする。
【０００８】
この発明によれば、貯留浸透槽が浸透部と貯留部とから構成されていることから、１つの貯留浸透槽が貯留機能と浸透機能を同時に備えるので、貯留部により雨水を貯留することができるとともに、浸透部により雨水を土中に効率良く浸透させることができる。
【０００９】
また、浸透部と貯留部がそれぞれ異なる材質によって形成されて個別に設けられているので、貯留部と浸透部とを分けるために地盤を階段状に掘削する必要がなく、施工が簡単で工期を短縮することができる。
【００１０】
さらに、浸透部とは異なる材質によって形成された貯留部が、浸透部よりも水平荷重に対して強度が強いコンクリート製部材で形成されているので、貯留部の水平荷重に対する強度を、地表からの埋設深さが深くなっても対応できるように設計することにより、貯留浸透槽の深埋設を実現させることが容易になる。
【００１１】
なお、ここで、水平荷重は、貯留浸透槽の側面に作用する水平方向の土圧（側土圧）である。
【００１２】
本発明は、上記した雨水貯留浸透施設において、前記貯留部の上面に浸透部が配置されたことを特徴とする。
【００１３】
この発明によれば、浸透部が貯留部の上面に配置されているので、貯留された雨水の上澄みを浸透させることができ、ある程度浄化させた水を土中に浸透させることができる。
【００１４】
本発明は、上記した雨水貯留浸透施設において、前記浸透部の底面の少なくとも一部が接地されていることを特徴とする。
【００１５】
この発明によれば、浸透部の底面の少なくとも一部が接地されているので、浸透部の接地されている底面から雨水を土中に浸透させることができる。したがって、浸透部のうちで最も水頭圧が高く、浸透能力が高い底面から雨水を浸透させることにより、優れた浸透機能を確保することができる。
【００２０】
本発明は、上記した雨水貯留浸透施設において、前記浸透部が樹脂製部材で形成されたことを特徴とする。
【００２１】
この発明によれば、浸透部が軽量で施工性に優れた樹脂製部材で形成されているので、浸透効率を上げることができ、施工性も向上させることができる。
【００２２】
また、貯留部の上面に浸透部を配置した場合にあっては、浸透部が軽量なので、貯留部に作用する上載荷重を軽減することができる。したがって、貯留部に対して、深埋設に対応させるとともに、例えば上載荷重を負担する部材の厚さを低減するような方法によって貯留効率を上げるように設計することも可能になる。
【００２３】
本発明は、上記した雨水貯留浸透施設において、前記貯留部がコンクリート製部材で形成されたことを特徴とする。
【００２４】
この発明によれば、貯留部が水平荷重に対して強度の強いコンクリート製部材で形成されているので、貯留部を地表から相当な深さにまで埋設することに対応できる。したがって、貯留効率を確保しながら、貯留浸透槽の深埋設が可能になる。
【００２５】
本発明は、上記した雨水貯留浸透施設において、前記浸透部に、この浸透部に導かれた雨水中に含まれる夾雑物を集める夾雑物収集手段が設けられたことを特徴とする。
【００２６】
この発明によれば、浸透部に夾雑物収集手段が設けられているので、雨水中の夾雑物を特定箇所に集めることができ、集められた夾雑物を簡単に除去することができる。したがって、浸透部の目詰まりが夾雑物によって引き起こされることが防止され、浸透部の浸透機能を常に確保することができる。また、夾雑物を雨水貯留浸透施設外に排出する作業が簡単で、雨水貯留浸透施設の維持管理が容易になる。
【００２７】
この場合において、夾雑物収集手段としては、雨水中の夾雑物が雨水の流れによって自然に集まる夾雑物集積点を形成するように、傾斜面を有する複数の充填部材を浸透部に配置することによってもよく、また、夾雑物が沈降する沈砂槽を設けることによってもよい。さらに、フィルターやスクリーン等を用いることによってもよい。
【発明の効果】
【００２８】
本発明によれば、地下に埋設された貯留浸透槽に雨水等を貯留するとともに、該貯留浸透槽を介して雨水等を土中に浸透させる雨水貯留浸透施設において、貯留浸透槽の深埋設を可能にするとともに優れた浸透機能を備え、また、施工を簡単にすることが可能になる。
【発明を実施するための最良の形態】
【００２９】
＜参考例＞
以下、本発明の参考例について、図面を参照して説明する。
【００３０】
図１には、本発明の参考例に係る雨水貯留浸透施設の概略構成が示されている。
【００３１】
この雨水貯留浸透施設は、大雨が降ったときに雨水を一時的に貯留するとともに、土中に浸透させて、河川流量が急激に増大するのを防止する流出抑制効果を有するものである。そして、貯留された雨水等を植木への散水や洗車用水、非常時の生活用水や防火用水として利用することもできるものであり、図１に示すように、浸透部１Ａと貯留部１Ｂが上下２層となるように配置された貯留浸透槽１を備えている。
【００３２】
貯留浸透槽１は、地面を平面形状が矩形状に掘下げて造成された掘削部内に設けられ、この掘削部の底面は割栗石等を敷き詰めて突き固めて形成された基礎部とされている。貯留浸透槽１の底面は、基本的には平坦面となっており、この底面に貯留部１Ｂが配置され、貯留部１Ｂの上面に浸透部１Ａが配置されている。
【００３３】
貯留浸透槽１の上部には、周辺に降った雨水等を集める側溝等から雨水等を導く導水管（図示省略）や貯留浸透槽１が満水になった場合に雨水を放流させるためのオーバーフロー管（図示省略）が接続されており、貯留浸透槽１の下部には、貯留浸透槽１に貯められた雨水を徐々に流出させるオリフィス管（図示省略）が設けられている。
【００３４】
また、貯留浸透槽１の周囲は、浸透シート２で被覆されている。
【００３５】
浸透部１Ａには、雨水等を重力及び／又は雨水流により所望の方向に誘導する誘導手段を備えた多数の充填部材３が水平に並べられるとともに、上下に重ねられて設置されている。
【００３６】
充填部材３は、例えば図２に示すように、ポリエチレン、ポリプロピレン、塩化ビニル、ポリエチレンテレフタレート等のプラスチックや、これらの廃プラスチック等から形成され、貯留浸透槽１の空間を確保する４本の柱状の連結部３１と、この４本の連結部３１に固定され水平面に対して５度程度の角度で傾斜する傾斜板部３２とから構成されている。
【００３７】
なお、充填部材３は、連結部３１の上部に連結部材３１０を挟んで積み上げるようにしてもよい。
【００３８】
そして、充填部材３は、例えば、傾斜板部３２により誘導された雨水が、水流を生じさせて、徐々に傾斜板部３２の隙間から落下するように配置されている。このように充填部材３が配置されていることから、土砂等の夾雑物を含む雨水は、集積部１０の方向に誘導されて落下し、夾雑物が集積部１０に自然に集められる。
【００３９】
貯留部１Ｂは、例えば図３に示すように、プレキャストコンクリート製の梁部材４１、柱部材４２、壁部材４３、頂版部材４４、底版部材４５、柱台部材４６を複数個組み合わせて貯留空間を形成するように配置したコンクリートブロック槽４で構成されている。
【００４０】
なお、貯留部１Ｂには、メンテナンスのための管理人孔（図示省略）が設けられている。
【００４１】
さらに、上記した浸透部１Ａの集積部１０に対応する貯留部１Ｂの上面には、凹部１００が設けられており、浸透部１Ａの充填部材３により誘導された雨水は凹部１００の方向に導かれ、夾雑物が凹部１００に集められる。そして、浸透部１Ａと貯留部１Ｂが連通するように、凹部１００に開口部（図示省略）が設けられている。
【００４２】
したがって、開口部を介して、浸透部１Ａから貯留部１Ｂに雨水が流入するとともに、集積部１０に集められた雨水中の夾雑物は貯留部１Ｂの特定箇所に排出される。
【００４３】
このように構成されているので、浸透部の目詰まりが夾雑物によって引き起こされることが防止され、浸透部の浸透機能を常に確保することができる。加えて、夾雑物を雨水貯留浸透施設外に排出する作業が簡単で、維持管理が容易になる。
【００４４】
また、浸透部１Ａから開口部を介して貯留部１Ｂに流入された雨水は、貯留部１Ｂに貯留される。そして、浸透部１Ａが貯留部１Ｂの上面に配置されているので、貯留部１Ｂで貯留された雨水の上澄みを浸透させることができ、ある程度浄化させた水を土中に浸透させて、地下水とすることができる。
【００４５】
さらに、地下水位に貯留部１Ｂと浸透部１Ａとの境界が位置するように、地下水位から上側の部分に浸透部１Ａを配置すると、地下水により水圧がかかる部分は貯留部１Ｂで支持して貯留効率を確保しながら、浸透部１Ａにより浸透機能を確保することができる。
【００４６】
なお、上記したように、貯留部１Ｂの上面に凹部１００を設けることに代えて、例えば、浸透部１Ａの集積部１０にＵ字溝を設けて、貯留部１Ｂの上面に配置するようにしてもよい。この場合、貯留部１Ｂのコンクリート部材に凹部１００を形成する必要がなくなるので、コンクリート部材を加工する工程が省略でき、コストを低減することができる。
【００４７】
また、貯留部１Ｂを構成するのは、上記したコンクリートブロック槽に限定されるものではなく、例えばボックスカルバートを複数個並設したもので構成してもよい。この場合、施工が簡単で工期をさらに短縮することが可能になる。
【００４８】
以上のように本参考例では、浸透部１Ａが軽量で施工性に優れた樹脂製部材で形成されているので、貯留部１Ｂに作用する上載荷重を軽減することができる。したがって、貯留部１Ｂを構成するコンクリート部材の部材厚を低減することができ、貯留効率を上げることが可能になる。
【００４９】
また、浸透部１Ａが樹脂製部材で形成されているため、貯留浸透槽１全体をコンクリート部材で形成する場合と比べて貯留浸透槽１が軽量になることから、地盤の支持力が低減できるので、適用可能な地盤の範囲が広くなり、場合によっては地盤改良が不要になる。また、地盤に対する荷重が低減できるため、不同沈下の可能性が低減できる。
【００５０】
さらに、貯留浸透槽１をプレキャストコンクリート製品及び樹脂製品で構築できるので、施工性が向上し、工期を大幅に短縮することができる。
＜実施形態＞
次に、本発明の実施形態について、図面を参照して説明する。
【００５１】
この雨水貯留浸透施設は、図４に示すように、上部に位置する浸透部１Ａの一部が下部に位置する貯留部１Ｂを貫き、浸透部１Ａの底面の一部が接地されている点に特徴を有している。
【００５２】
なお、基本的な構成は上記の雨水貯留浸透施設と同様であるので、同一構成のものについては、同じ符号を付し、詳細な説明を省略する。
【００５３】
本実施形態では、浸透部１Ａの底面の一部が接地されているので、浸透部１Ａの接地されている底面から雨水を土中に浸透させることができる。したがって、浸透部１Ａのうちで最も水頭圧が高く、浸透能力が高い底面から雨水を浸透させることにより、優れた浸透機能を確保することができる。
【００５４】
なお、図示省略しているが、浸透部１Ａに、充填部材３により雨水が導かれる集積部１０に対応するように凹窪部を形成すると、浸透部１Ａに導かれた雨水中に含まれる夾雑物は、凹窪部に集められるので、浸透部１Ａの目詰まりが夾雑物によって引き起こされることが防止され、浸透部１Ａの浸透機能を常に確保することができる。また、夾雑物を雨水貯留浸透施設外に排出する作業が簡単で、雨水貯留浸透施設の維持管理が容易になる。
【００５５】
また、本実施形態においても、上記した参考例と同様に、周辺に降った雨水等を集める側溝等から雨水等を導く導水管（図示省略）は、貯留浸透槽１の上部、すなわち浸透部１Ａに接続されており、雨水は最初に浸透部１Ａに導かれる。そして、浸透部１Ａと貯留部１Ｂの境界面の所定箇所には、浸透部１Ａと貯留部１Ｂを連通する流入部（図示省略）が設けられており、流入部を介して浸透部１Ａから貯留部１Ｂに雨水が流入可能になっている。したがって、浸透部１Ａ内に導かれた雨水が貯留部１Ｂに流入され、貯留部１Ｂで貯留される。
＜他の参考例＞
次に、本発明の他の参考例について、図面を参照して説明する。
【００５６】
図５および図６には、本発明の他の参考例に係る雨水貯留浸透施設の概略構成が示されている。
【００５７】
この雨水貯留浸透施設は、浸透部１Ａが貯留部１Ｂで囲まれるように構成された点に特徴を有している。
【００５８】
なお、基本的な構成は上記の雨水貯留浸透施設と同様であるので、同一構成のものについては、同じ符号を付し、詳細な説明を省略する。
【００５９】
貯留浸透槽１の上部には、周辺に降った雨水等を集める側溝等から雨水等を導く導水管１１が浸透部１Ａと貯留部１Ｂとを貫通するように設けられており（図６参照）、雨水はまず浸透部１Ａに導かれるようになされている。
【００６０】
浸透部１Ａには、充填部材３により雨水が導かれる集積部１０に対応するように凹窪部１０１が形成されている。したがって、浸透部１Ａに導かれた雨水中に含まれる夾雑物は、凹窪部１０１に集められるので、浸透部の目詰まりが夾雑物によって引き起こされることが防止され、浸透部の浸透機能を常に確保することができる。また、夾雑物を雨水貯留浸透施設外に排出する作業が簡単で、雨水貯留浸透施設の維持管理が容易になる。
【００６１】
なお、凹窪部１０１と地面とは、メンテナンスのための連通孔（図示省略）を介して連通がされている。
【００６２】
また、浸透部１Ａと貯留部１Ｂの境界面の所定箇所には、浸透部１Ａと貯留部１Ｂを連通する流入部１２が設けられており、流入部１２を介して浸透部１Ａから貯留部１Ｂに雨水が流入可能になっている。したがって、浸透部１Ａ内に導かれた雨水が貯留部１Ｂに流入され、貯留部１Ｂで貯留される。
【００６３】
この場合において、雨水は浸透部１Ａに最初に導かれるので、雨水に含まれる夾雑物は、凹窪部１０１に集められるため、貯留部１Ｂに流入する雨水中には夾雑物が含まれず、貯留部１Ｂの底面に夾雑物が堆積することもなく、メンテナンス性がよい。
【００６４】
なお、流入部１２は、浸透部１Ａと貯留部１Ｂの境界面の少なくとも１個所に設けられていればよい。
【００６５】
また、貯留浸透槽１は、図７に示すように、浸透部１Ａの外周側面および上面に貯留部１Ｂが配置されていてもよい。
【００６６】
このように配置した場合、浸透部１Ａの上部まで貯留部１Ｂで囲まれており、かつ貯留部１Ｂが相当な強度を有することから、土被りを減らすことができ、浸透部１Ａの水頭をさらにあげることができるため、浸透機能をさらに向上させることが可能になる。
【００６７】
以上のように本参考例では、浸透部１Ａが貯留部１Ｂで囲まれているので、内側の浸透部１Ａに対して水平荷重に対する強度を考慮することなく充填部材３を積み重ねることができる。また、地震などによる地盤変動が生じた場合であっても、浸透部１Ａの充填部材３が崩れるおそれがない。
【００６８】
また、貯留部１Ｂがコンクリート部材で形成されていることから相当の重量が確保されるため、樹脂製部材のみで貯留浸透槽１を構成する場合と比べて、浮力によって生じる浮き上がりに対する抵抗性を高めることができる。
【００６９】
以上、本発明の実施の形態について、一例としての実施例について説明したが、上述した実施例に限られるものではない。
【産業上の利用可能性】
【００７０】
本発明は、地下に埋設された貯留浸透槽に雨水等を貯留するとともに、該貯留浸透槽を介して雨水等を土中に浸透させる雨水貯留浸透施設において、貯留浸透槽の深埋設を可能にするとともに優れた浸透機能を備え、また、施工を簡単にすることが可能な雨水貯留浸透施設に適用できる。
【図面の簡単な説明】
【００７１】
【図１】本発明の参考例に係る雨水貯留浸透施設の断面を模式的に示す概略図である。
【図２】本発明の充填部材の一例を示す斜視図である。
【図３】本発明に係る雨水貯留浸透施設の貯留部を構成するコンクリート部材の概略を模式的に示す側面図である。
【図４】本発明に係る雨水貯留浸透施設の実施形態の概略を模式的に示す側面図である。
【図５】本発明の参考例に係る雨水貯留浸透施設の断面を模式的に示す概略図である。
【図６】図５に示す雨水貯留浸透施設の概略を模式的に示す平面図である。
【図７】本発明の参考例に係る雨水貯留浸透施設の概略を模式的に示す側面図である。
【符号の説明】
【００７２】
１  貯留浸透槽
１Ａ  浸透部
１Ｂ  貯留部
１０  集積部
【図１】
0004759442.tif 000002
【図２】
0004759442.tif 000003
【図３】
0004759442.tif 000004
【図４】
0004759442.tif 000005
【図５】
0004759442.tif 000006
【図６】
0004759442.tif 000007
【図７】
0004759442.tif 000008